(57)【要約】【課題】ユニットノズルの交換が容易に行えて最適位置にセットできる着火用トーチの先端構造を提供する。【解決手段】筒形で長尺な管体１２と、管体の先端に嵌着されるユニットノズル１３と、ユニットノズルを囲繞する状態で管体に螺着する筒状の風防１４と、を少なくとも備える圧電式の着火用トーチの先端構造１１であって、管体１２は、ガス噴出孔１５とその周囲の嵌合溝とを備える突出部１７を先端に有し、突出部の近傍に周溝１８を介してシール用の段部１９を備え、段部の下部には外周面に沿って外周ネジ部２０が刻設され、ユニットノズル１３は、中央部にガス噴出孔と連通するノズル部２１を有し、外周面に段部と密接されるリング状のシール部２５を備え、シール部の下部に周溝と嵌合する環状部２６を有し、風防１４は、内周面に外周ネジ部と螺合する内周ネジ部２７を有し、内周ネジ部の上部にはシール部を押圧して当該シール部を段部に密接させるための押圧用段部２８を備える。【選択図】図１
2015161443.tif 000002
【特許請求の範囲】
【請求項１】
筒形で長尺な管体と、該管体の先端に嵌着されるユニットノズルと、該ユニットノズルを囲繞する状態で前記管体に螺着する筒状の風防と、を少なくとも備える圧電式の着火用トーチの先端構造であって、
前記管体は、ガス噴出孔とその周囲の嵌合溝とを備える突出部を先端に有し、該突出部の近傍に周溝を介してシール用の段部を備え、該段部の下部には外周面に沿って外周ネジ部が刻設され、
前記ユニットノズルは、中央部に前記ガス噴出孔と連通するノズル部を有し、外周面に前記段部と密接されるリング状のシール部を備え、該シール部の下部に前記周溝と嵌合する環状部を有し、
前記風防は、内周面に前記外周ネジ部と螺合する内周ネジ部を有し、該内周ネジ部の上部には前記シール部を押圧して当該シール部を前記段部に密接させるための押圧用段部を備えること
を特徴とする着火用トーチの先端構造。
【請求項２】
前記風防の前記内周ネジ部を前記管体の前記外周ネジ部に螺着すると、前記押圧用段部が前記シール部を押圧して、当該シール部が前記段部に対して密接状態にシールする構成であること
を特徴とする請求項１に記載の着火用トーチの先端構造。
【請求項３】
前記風防の前記内周ネジ部を前記管体の前記外周ネジ部に螺着すると、前記押圧用段部が前記シール部を押圧し、前記環状部が前記周溝に嵌合して、前記ユニットノズルが所定の位置にセットされる構成であること
を特徴とする請求項１に記載の着火用トーチの先端構造。
【発明の詳細な説明】
【技術分野】
【０００１】
本発明は、主に蝋燭の着火に用いる圧電式の着火用トーチの先端構造に関するものであり、更に詳しくは、当該先端部分に設けられるユニットノズルの交換が容易に行え、かつ交換時にユニットノズルを最適位置にセットできる着火用トーチの先端構造に関するものである。
【背景技術】
【０００２】
従来、圧電式の着火用トーチの先端構造としては、図９に示す構成のものが知られている。この先端構造１は、筒形で長尺な管体２と、管体２の先端から突出した火口ノズル３と、火口ノズル３の先端に嵌着したノズルチップ４と、管体２の先端に嵌合する火口カバー（風防）５とを有している。
【０００３】
ノズルチップ４の先端には一方の放電電極６を備えており、また、火口カバー５の内側には、放電電極６との間に放電花火を発生させる他方の放電電極７を備えている（特許文献１参照）。
【０００４】
圧電式の着火用トーチは、バルブ開閉操作子（図示せず）を操作してノズルチップ４からガスを噴出させる一方、圧電点火装置（図示せず）を作動させると放電電極６と放電電極７との間に放電火花が発生し、ノズルチップ４から噴出するガスに着火して、火口カバー５から火炎が生ずる仕組みである。
【０００５】
このような仕組みの着火用トーチの先端構造１では、多数回の着火により放電電極６、７が劣化して、次第に正常な放電が行われず着火不良となるので、ノズルチップ４又は火口カバー５を適宜に取り外して交換する必要がある。
【先行技術文献】
【特許文献】
【０００６】
【特許文献１】特許第３９１６１１０号公報
【発明の概要】
【発明が解決しようとする課題】
【０００７】
この従来例の着火用トーチの先端構造１においては、蝋燭への多数回の着火によって、ノズルチップ４の下部近傍に気化した蝋８が付着して溜まるという不都合がある。その結果、使用時やノズルチップ４を取り外した時に、蝋８が当該ノズルチップ４の内部や、火口ノズル３の内部等に侵入して、着火不良を引き起こす恐れがあるという問題点を有している。
【０００８】
また、ノズルチップ４を交換する時には、一般のユーザーが新たなノズルチップ４を火口ノズル３の正確な位置にシッカリと嵌め込む作業は難しいという現状がある。この場合は、ノズルチップ４の放電電極６を最適な放電間隔をもってセットできないこととなり、着火不良を引き起こすという問題点を有している。
【０００９】
従って、従来例における着火用トーチの先端構造１においては、火口ノズル３に蝋８が付着したり内部に侵入する不都合を防止することと、一般のユーザーがノズルチップ４を交換する時に常に正確な位置にセットできるようにすることとに解決しなければならない課題を有している。
【課題を解決するための手段】
【００１０】
前記従来例の課題を解決するための本発明の要旨は、筒形で長尺な管体と、該管体の先端に嵌着されるユニットノズルと、該ユニットノズルを囲繞する状態で前記管体に螺着する筒状の風防と、を少なくとも備える圧電式の着火用トーチの先端構造であって、前記管体は、ガス噴出孔とその周囲の嵌合溝とを備える突出部を先端に有し、該突出部の近傍に周溝を介してシール用の段部を備え、該段部の下部には外周面に沿って外周ネジ部が刻設され、前記ユニットノズルは、中央部に前記ガス噴出孔と連通するノズル部を有し、外周面に前記段部と密接されるリング状のシール部を備え、該シール部の下部に前記周溝と嵌合する環状部を有し、前記風防は、内周面に前記外周ネジ部と螺合する内周ネジ部を有し、該内周ネジ部の上部には前記シール部を押圧して当該シール部を前記段部に密接させるための押圧用段部を備えることである。
【００１１】
また、前記風防の前記内周ネジ部を前記管体の前記外周ネジ部に螺着すると、前記押圧用段部が前記シール部を押圧して、当該シール部が前記段部に対して密接状態にシールする構成であること、；
前記風防の前記内周ネジ部を前記管体の前記外周ネジ部に螺着すると、前記押圧用段部が前記シール部を押圧し、前記環状部が前記周溝に嵌合して、前記ユニットノズルが所定の位置にセットされる構成であること、；
を含むものである。
【発明の効果】
【００１２】
本発明に係る着火用トーチの先端構造によれば、風防の内周ネジ部を管体の外周ネジ部に螺着すると、押圧用段部がシール部を押圧して、当該シール部が段部に対して密接状態にシールする構成であることによって、気化した蝋がガス噴出孔に付着したりその内部に侵入することがない。
従って、従来例のように蝋が火口ノズルの内部に侵入して、着火不良を引き起こすというような不都合が全く生じない。
また、ユニットノズルを交換することで、その上に溜まっている蝋がいっしょに取り除かれるので、特段に蝋を取り除く清掃が必要ないという種々の優れた効果を奏する。
【００１３】
また、風防の内周ネジ部を管体の外周ネジ部に螺着すると、押圧用段部がシール部を押圧し、環状部が周溝に嵌合して、ユニットノズルが所定の位置にセットされる構成であることによって、一般のユーザーがノズルチップを交換する時に、管体に風防を螺着するだけで、ユニットノズルを正確な位置にセットできる。換言すれば、ユニットノズルの先端の放電電極を最適な放電間隔をもってセットできることとなる。
従って、従来例のように、一般のユーザーがノズルチップを交換する時にその嵌め込みに失敗して、その結果、着火不良を引き起こすという不都合が全く生じないという優れた効果を奏する。
【図面の簡単な説明】
【００１４】
【図１】本発明に係る着火用トーチの先端構造１１の縦断面図である。
【図２】管体１２の縦断面図である。
【図３】ユニットノズル１３の縦断面図である。
【図４】風防１４の縦断面図である。
【図５】着火用トーチ４１の斜視図である。
【図６】着火用トーチ４１の斜視図である。
【図７】着火用トーチ４１の縦断面図である。
【図８】着火用トーチ４１の縦断面図である。
【図９】従来例に係る着火用トーチの先端構造１の縦断面図である。
【発明を実施するための形態】
【００１５】
次に、本発明の実施の形態について図面を参照しながら説明する。まず、図１において、符号１１は着火用トーチの先端構造を示し、この先端構造１１は、長尺な管体１２（図２参照）と、管体１２の先端に嵌着されるユニットノズル１３（図３参照）と、ユニットノズル１３を囲繞する状態で管体１２に螺着する筒状の風防１４（図４参照）とから構成される。
【００１６】
管体１２は、筒形で長尺に形成されており、図２に示すように、ガス噴出孔１５とその周囲を囲繞する嵌合溝１６とを備える突出部１７を先端に有している。突出部１７の周囲には、周溝１８が形成されており、周溝１８の外側の縁に沿ってシール用の段部１９が設けられている。シール用の段部１９には、後述するように、ユニットノズル１３のシール部２５が密接して、シールする役目を果たす。シール用の段部１９の下部は、外周面に沿って外周ネジ部２０が刻設されている。
なお、図１及び図２中の、符号４９はＯリングを示しており、符号５０はスプリングを示している。
【００１７】
ユニットノズル１３は、図３に示すように、中央部にガス噴出孔１５と連通するノズル部２１を有している。ノズル部２１は、先端２１ａからガスが噴出すると共に、この先端２１ａが放電電極の役目を果たす。また、ノズル部２１の後端側は、嵌合溝１６と嵌合する筒状部２２が拡径した状態で形成されている。
【００１８】
ユニットノズル１３の外周は、第１段部２３及び第２段部２４を介して拡径し、台座状に形成されており、その外周には、シール用の段部１９と密接されるリング状のシール部２５が一体に形成されている。シール部２５の下部には、周溝１８と嵌合する円形の環状部２６が連設されている。
【００１９】
風防１４は、筒状に形成されており、図４に示すように、内周面には外周ネジ部２０と螺合する内周ネジ部２７が刻設されている。内周ネジ部２７の上部には、押圧用段部２８が環状に設けられている。この押圧用段部２８は、シール部２５を押圧して当該シール部２５をシール用の段部１９に密接させる役目を果たす。また、内周ネジ部２７の下部には、環状の下端部２９を有している。
【００２０】
また、風防１４は、通気用の長孔３０が側部に複数設けられており、頂部には火炎を放出すための炎孔３１が設けられている。風防１４の内側には、放電電極３２が設けられており、この放電電極３２は後述する圧電ユニット４４と電気的に接続している。
【００２１】
このような構成の着火用トーチの先端構造１１は、風防１４の内周ネジ部２７を管体１２の外周ネジ部２０に螺着すると、押圧用段部２８がシール部２５を押圧して、当該シール部２５がシール用の段部１９に対して密接状態にシールする構成である。従って、気化した蝋がガス噴出孔１５に付着したり内部に侵入することがない。
また、ユニットノズル１３を交換することで、その上に溜まっている蝋がいっしょに取り除かれるので、特段に蝋を取り除く清掃が必要ないという利点がある。
【００２２】
更に、着火用トーチの先端構造１１は、風防１４の内周ネジ部２７を管体１２の外周ネジ部２０に螺着すると、押圧用段部２８がシール部２５を押圧し、環状部２６が周溝１８に嵌合して、ユニットノズル１３が所定の位置にセットされる構成である。従って、一般のユーザーがユニットノズル１３を交換する時には、管体１２に風防１４を螺着するだけで、ユニットノズル１３を正確な位置にセットできる。換言すれば、ユニットノズル１３の先端２１ａの放電電極を最適な放電間隔を有してセットできるのである。
【００２３】
次に、本発明に係る先端構造１１を備える、圧電式の着火用トーチ４１についての概略を説明する。着火用トーチ４１は、図５及び図６に示すように、円筒状のグリップ部４２と、グリップ部４２の一端に設けられる筒形で長尺な管体１２とから構成される。
【００２４】
グリップ部４２は、図７及び図８に示すように、燃料ガスが充填されるガスタンク４３と、高電圧を生じさせる圧電ユニット４４と、指で押下操作する着火操作部４５とを備えている。
【００２５】
管体１２は、図７及び図８に示すように、燃料チューブ４７と導電線４６とを有している。燃料チューブ４７は、一方をガスタンク４３に連結し、他方をガス噴出孔１５に連結する役目を果たしている。導電線４６は、圧電ユニット４４とノズル部２１の先端２１ａの放電電極とを電気的に連結する役目を果たしている。管体１２の先端には本発明の先端構造１１を備える。
【００２６】
このような構成の着火用トーチ４１は、着火操作部４５を押下操作すると、操作桿４８がガスタンク４３を開成してガス噴出孔１５からガスを噴出させる一方、操作桿４８が圧電ユニット４４を押圧して作動させ、ノズル部２１の先端２１ａの放電電極と放電電極３２との間に放電火花が発生し、ユニットノズル１３のノズル部２１から噴出するガスに着火して、風防１４の炎孔３１から火炎が生ずる仕組みである。
【符号の説明】
【００２７】
１    着火用トーチの先端構造
２    管体
３    火口ノズル
４    ノズルチップ
５    火口カバー（風防）
６、７  放電電極
８    蝋
１１  着火用トーチの先端構造
１２  管体
１３  ユニットノズル
１４  風防
１５  ガス噴出孔
１６  嵌合溝
１７  突出部
１８  周溝
１９  シール用の段部
２０  外周ネジ部
２１  ノズル部
２１ａ先端
２２  筒状部
２３  第１段部
２４  第２段部
２５  シール部
２６  環状部
２７  内周ネジ部
２８  押圧用段部
２９  下端部
３０  長孔
３１  炎孔
３２  放電電極
４１  着火用トーチ
４２  グリップ部
４３  ガスタンク
４４  圧電ユニット
４５  着火操作部
４６  導電線
４７  燃料チューブ
４８  操作桿
４９  Ｏリング
５０  スプリング
【図１】
2015161443.tif 000003
【図２】
2015161443.tif 000004
【図３】
2015161443.tif 000005
【図４】
2015161443.tif 000006
【図５】
2015161443.tif 000007
【図６】
2015161443.tif 000008
【図７】
2015161443.tif 000009
【図８】
2015161443.tif 000010
【図９】
2015161443.tif 000011